(57)【要約】【課題】給油口から油量を簡単に目視確認できるようにする。【解決手段】両輪接地状態にて前方傾斜する燃料タンク２０の底部７６において、給油口６５の下方となる部分に上方突出する底面突出部７７を設け、その上面で給油口６５から覗いたとき視認できる範囲Ｚに目視用油面表示９０を上方へ突出させて設ける。目視用油面表示９０は高所から低所に向かって前後方向へ長い凸条として設けられ、その後端を上限指示部９２、前端を下限指示部９４とする。上限指示部９２は燃料の油面が上限に近いことを示し、下限指示部９４は燃料の油面が下限に近いことを示すように設けられる。給油口６５から覗いたときに見える油面が上限指示部９２と下限指示部９４の間にあれば適切な油量であると判断でき、目視用油面表示９０上における油面の位置より、おおよその油量を目視にて直ちに確認できる。【選択図】図４
2016124412.tif 000002
【特許請求の範囲】
【請求項１】
車体フレーム（１０）の前後に支持された前輪（１２）及び後輪（１４）と、
前記車体フレーム（１０）に支持され上面に給油口（６５）が設けられた燃料タンク（２０）とを備えた鞍乗り型車両において、
前記燃料タンク（２０）の底部（７６）に、前記前輪（１２）と前記後輪（１４）が共に接地している両輪接地状態で、水平方向の高低差が大きくなる傾斜部（７７）が設けられるとともに、
この傾斜部（７７）上で、前記給油口（６５）から視認できる範囲（Ｚ）に目視用油面表示（９０）が設けられていることを特徴とする鞍乗り型車両の燃料タンク構造。
【請求項２】
前記目視用油面表示（９０）は、前記傾斜部（７７）上で高所から低所へ延びるように設けられていることを特徴とする請求項１に記載した鞍乗り型車両の燃料タンク構造。
【請求項３】
油量を測定するため前記燃料タンク（２０）内に設けられた油量計測器（８６）と、
この油量計測器（８６）の測定値により油量が所定の下限値以下になると警告する前記燃料タンク（２０）の外部に設けられた残量警告表示（５０）とを有する残量警告装置を備えたことを特徴とする請求項１又は２に記載した鞍乗り型車両の燃料タンク構造。
【請求項４】
前記燃料タンク（２０）は、前記車体フレームに支持されたエンジン（１６）の燃料噴射装置（５８）へ燃料を送る燃料ポンプ（８０）を内蔵し、この燃料ポンプ（８０）と前記給油口（６５）が車体前後方向へずらして配置されるとともに、
前記燃料タンク（２０）の底部（７６）は、側面視で前記燃料ポンプ（８０）の下方となる部分（７６ａ）が、前記給油口の下方に位置する底面（７６ｂ）より低い位置に配置され、
前記燃料ポンプ（８０）に前記油量計測器（８６）が取付けられていることを特徴とする請求項３に記載した鞍乗り型車両の燃料タンク構造。
【請求項５】
前記燃料ポンプ（８０）は、気化燃料を液体燃料中へ戻す戻し用孔（８５）が設けられたベーパーリターン機構（８４）と、前記燃料ポンプ下端に設けられた燃料フィルタ（８２）とを備えるとともに、
前記目視用油面表示（９０）は、上下方向に長く設けられて上端（９２）と下端（９４）を備え、上端（９２）は前記戻し用孔（８５）より下方であり、
前記目視用油面表示の下端（９４）は前記残量警告表示（５０）が警告する時点の油面より上方であることを特徴とする請求項４に記載した鞍乗り型車両の燃料タンク構造。
【請求項６】
前記燃料タンク（２０）は、上半体（７０）と下半体（７２）とを接合してなる上下分割形式であることを特徴とする請求項１〜５のいずれか１項に記載した鞍乗り型車両の燃料タンク構造。
【請求項７】
前記目視用油面表示（９０）は、前記傾斜部（７７）から上方へ突出する凸部として形成されていることを特徴とする請求項１〜６のいずれか１項に記載した鞍乗り型車両の燃料タンク構造。
【請求項８】
車体フレーム（１０）の前後に支持された前輪（１２）及び後輪（１４）と、
前記車体フレーム（１０）に支持され上面に給油口（６５）が設けられた燃料タンク（２０）とを備えた鞍乗り型車両において、
前記給油口（６５）の下方となる前記燃料タンク（２０）の底部（７６）上に、前記燃料タンク（２０）と別体に形成された油面表示部材（９７）が取付けられるとともに、
油面表示部材（９７）は、前記前輪（１２）と前記後輪（１４）が共に接地している両輪接地状態で、水平方向の高低差が大きくなるように傾斜する傾斜部（９７ａ）を備え、
この傾斜部が、前記給油口（６５）から視認できる範囲に配置されていることを特徴とする鞍乗り型車両の燃料タンク構造。
【発明の詳細な説明】
【技術分野】
【０００１】
この発明は、鞍乗り型車両の燃料タンク構造に係り、特に、給油口から簡単に油量を視認できるようにしたものに関する。
【背景技術】
【０００２】
内部に収容されている燃料の量の検出を給油口から直接目視可能にした燃料タンクが特許文献１に開示されている。この燃料タンクは、給油口に濾過筒を装着し、濾過筒の底に所定の長さの可撓支持部材を介してフロートを接続し、給油口から内部を覗いたとき、フロートが油面上に視認できれば満量（上限）未満の状態と判断し、フロートが油面下に没すれば満量状態と判断するようになっている。
【先行技術文献】
【特許文献】
【０００３】
【特許文献１】特開２００２−２４３５２２号公報
【発明の概要】
【発明が解決しようとする課題】
【０００４】
ところで、上記特許文献１に記載された構造では、濾過筒が給油口に配置されている構造の燃料タンクにしか油量視認用の手段（フロート及び可撓支持部材）を配置することができない。また、フロートの状態により、燃料が上限以上か否かのみを選択的に確認できるだけであり、実際の油量が、給油を促すための残量警告表示をする下限であるか、もしくは下限と上限との中間状態におけるどのあたりに位置するかは確認できなかった。
そこで本願は、上記のような濾過筒がない構造であっても、給油口から油量を視認できる簡易な構造を提供することを主たる目的とし、併せて、中間状態も容易に確認できるようにすることも目的とする。
【課題を解決するための手段】
【０００５】
上記課題を解決するため請求項１に記載した発明は、車体フレーム（１０）の前後に支持された前輪（１２）及び後輪（１４）と、
前記車体フレーム（１０）に支持され上面に給油口（６５）が設けられた燃料タンク（２０）とを備えた鞍乗り型車両において、
前記燃料タンク（２０）の底部（７６）に、前記前輪（１２）と前記後輪（１４）が共に接地している両輪接地状態で、水平方向の高低差が大きくなる傾斜部（７７）が設けられるとともに、
この傾斜部（７７）上で、前記給油口（６５）から視認できる範囲（Ｚ）に目視用油面表示（９０）が設けられていることを特徴とする。
【０００６】
請求項２に記載した発明は上記請求項１において、前記目視用油面表示（９０）が、前記傾斜部（７７）上で高所から低所へ延びるように設けられていることを特徴とする。
【０００７】
請求項３に記載した発明は上記請求項１又は２において、油量を測定するため前記燃料タンク（２０）内に設けられた油量計測器（８６）と、
この油量計測器（８６）の測定値により油量が所定の下限値以下になると警告する前記燃料タンク（２０）の外部に設けられた残量警告表示（５０）とを有する残量警告装置を備えたことを特徴とする。
【０００８】
請求項４に記載した発明は上記請求項３において、前記燃料タンク（２０）は、前記車体フレームに支持されたエンジン（１６）の燃料噴射装置（５８）へ燃料を送る燃料ポンプ（８０）を内蔵し、この燃料ポンプ（８０）と前記給油口（６５）が車体前後方向へずらして配置されるとともに、
前記燃料タンク（２０）の底部（７６）は、側面視で前記燃料ポンプ（８０）の下方となる部分（７６ａ）が、前記給油口の下方に位置する底面（７６ｂ）より低い位置に配置され、前記燃料ポンプ（８０）に前記油量計測器（８６）が取付けられていることを特徴とする。
【０００９】
請求項５に記載した発明は上記請求項４において、前記燃料ポンプ（８０）は、気化燃料を液体燃料中へ戻す戻し用孔（８５）が設けられたベーパーリターン機構（８４）と、前記燃料ポンプ下端に設けられた燃料フィルタ（８２）とを備えるとともに、
前記目視用油面表示（９０）は、上下方向に長く設けられて上端（９２）と下端（９４）を備え、上端（９２）は前記戻し用孔（８５）より下方であり、
前記目視用油面表示の下端（９４）は前記残量警告表示（５０）が警告する時点の油面より上方であることを特徴とする。
【００１０】
請求項６に記載した発明は上記請求項１〜５のいずれか１項において、前記燃料タンク（２０）は、上半体（７０）と下半体（７２）とを接合してなる上下分割形式であることを特徴とする。
【００１１】
請求項７に記載した発明は上記請求項１〜６のいずれかにおいて、前記目視用油面表示（９０）は、前記傾斜部（７７）から上方へ突出する凸部として形成されていることを特徴とする。
【００１２】
請求項８に記載した発明は、車体フレーム（１０）の前後に支持された前輪（１２）及び後輪（１４）と、
前記車体フレーム（１０）に支持され上面に給油口（６５）が設けられた燃料タンク（２０）とを備えた鞍乗り型車両において、
前記給油口（６５）の下方となる前記燃料タンク（２０）の底部（７６）上に、前記燃料タンク（２０）と別体に形成された油面表示部材（９７）が取付けられるとともに、
油面表示部材（９７）は、前記前輪（１２）と前記後輪（１４）が共に接地している両輪接地状態で、水平方向の高低差が大きくなるように傾斜する傾斜部（９７ａ）を備え、
この傾斜部が、前記給油口（６５）から視認できる範囲に配置されていることを特徴とする。
【発明の効果】
【００１３】
請求項１の発明によれば、給油口の下方となる燃料タンクの底部に傾斜部を設け、この傾斜部上の給油口から視認可能位置に、例えば、上限を示す目視用油面表示を設けることで、油量に応じて油面が傾斜部上を上下するとき、この目視用油面表示を目安にして油面の高さを確認できる。
そこで、油量を確認したいときは、給油口から覗き込むだけで、目視用油面表示を目安にして油面の位置を把握し、この油面位置からおおよその油量を判断できるので、油量を目視で容易に確認することができる。しかも、この目視用油面表示は、給油口の下方に位置する燃料タンク底部の傾斜部に設けるだけであるから、特殊な給油口構造を有するものに限定されず、広範な燃料タンクに適用でき、しかも簡素な構造とすることができる。
【００１４】
請求項２の発明によれば、目視用油面表示を高所から低所へ延びるように比較的長い範囲にかけて設けたので、油面の位置をより正確に確認できる。例えば、油面の上限位置から下限位置を含む範囲にかけて長く設ければ、目視用油面表示上の長さ方向における油面の位置により、油面が上限又は下限もしくは中間のいずれにあるかを容易に視認できる。したがって、より正確に油量を視認することができる。
【００１５】
請求項３の発明によれば、車両に残量警告装置を配置したことにより、油量が下限以下になった際には乗員が燃料タンクを覗き込まずとも給油するタイミング等が認識できる。しかも、残量警告装置が警告する前の段階では、燃料タンクを覗き込むことで油量を簡単に目視で確認することができる。したがって、残量警告装置のみを備え、残量警告装置が警告する下限から満量の上限までの間における油量の連続変化を電子的に表示する油量メータを備えない形式の車両においても、簡素な構造で油量を確認することが可能となる。
【００１６】
請求項４の発明によれば、燃料ポンプの下方における燃料タンクの底面を、給油口の下方に位置する底面より低くすることで、燃料ポンプを燃料タンクの底が深い位置に配置できるので、燃料タンク内の燃料を吸引残量が可及的に少なくなるように効率よく吸引することができる。また、油量計測器を小型化することができる。
そのうえ、燃料タンク上面において給油口を燃料ポンプが側面視で重複しない位置に配置し、目視用油面表示を、燃料タンクの底部において相対的に上方となる位置に設けることで、給油口から覗き込んで目視用油面表示により視認する油面を、残量警告表示が警告する下限（油量計測器で計測する下限）よりも高い位置に配置することができる。このため、油量計測器と目視用油面表示による計測とで測定エリアを分けやすくなる。
【００１７】
請求項５の発明によれば、残量警告装置が警告しない状態で、燃料切れを疑わせるエンジンの不調が生じたとき、給油口を覗き目視用油面表示で油面を確認することにより、燃料フィルタの目詰まり有無を判断できる。このとき、油面が目視用油面表示の下端より上方にあれば、油量は燃料切れを生じない量であることが判る。また、目視用油面表示の上端より下方にあれば、ベーパーリターン機構を燃料が逆流することがない。したがって、燃料フィルタの目詰まりと判断できる。しかも、燃料ポンプを燃料タンクから取り出さずに、簡易かつ迅速に判断できる。
【００１８】
請求項６の発明によれば、燃料タンクを上半体と下半体との接合により形成したので、燃料タンク底部に相当する下半体の一部に対して目視用油面表示を設ける際に、上半体を合わせない前の上方へ大きく開放された状態の凹部内で目視用油面表示の付与作業を行うことができる。したがって、目視用油面表示の付与工程が容易になる。
【００１９】
請求項７の発明によれば、傾斜部の一部を上方へ突出させて目視用油面表示を設けたので、シールなどと比べて消えづらい目視用油面表示を構成することができるとともに、上方に突出しているため、陰影により油面の視認が容易になる。
【００２０】
請求項８の発明によれば、燃料タンクの底部上に別体の油面表示部材を取付け、その傾斜部を給油口から覗いたとき視認できる範囲へ配置することにより、油面を視認するときの目安にしたので、燃料タンクに対して別加工で簡単に目視用油面表示を設けることができる。
【図面の簡単な説明】
【００２１】
【図１】本実施形態に係る自動２輪車の左側面図
【図２】上記車両におけるシートの下方部分の上面視図
【図３】燃料タンクの側面図、給油口部分の断面図及び平面図を示す図
【図４】燃料タンクの左側面の断面の斜視図
【図５】図４における底面突出部を斜め上方から示す図
【図６】燃料タンクに関する図１の６−６線断面図及びその傾斜時状態を示す図
【図７】給油口から覗いたときにおける目視用油面表示を示す図
【図８】目視用油面表示の別実施例を示す図
【図９】目視用油面表示の他の実施例を示す図
【図１０】目視用油面表示のさらに他の実施例を示す図
【発明を実施するための形態】
【００２２】
図１は、鞍乗り型車両の一例であり本実施形態に係る自動２輪車の左側面を示す。なお、鞍乗り型車両としては、２輪車に限らず、３又は４輪車等がある。また本願において、前後・左右・上下の各方向は、燃料タンクを搭載する車両を基準とする。また、前方をＦｒ、後方をＲｒ、左方をＬＨ、右方をＲＨとして、必要により図中に表示する。
この自動２輪車は、車体フレーム１０の前後に前輪１２と後輪１４を支持し、これら前輪１２と後輪１４の中間部にてエンジン１６を支持している。
エンジン１６及び後輪１４の上方には、シート１８が配置され、このシート１８の下方には、燃料タンク２０が配置されている。
【００２３】
車体フレーム１０は、車体中心に沿って斜め下がり後方へ延びるメインフレーム２２と、その前端に設けられたヘッドパイプ２４と、メインフレーム２２の中間部から斜め上がり後方へ延びるシートレール２６と、メインフレーム２２の後端部から下方へ突出するピボットプレート２８を備える。
【００２４】
ヘッドパイプ２４には、ハンドルバー３０と一体のステアリングシャフト３２が回動自在に支持されている。ステアリングシャフト３２の下端は左右一対のフロントフォーク３４に連結し、ハンドルバー３０を回動することにより、フロントフォーク３４の下端に支持されている前輪１２を操向するようになっている。
シートレール２６には燃料タンク２０が支持され、この上をシート１８が開閉自在に覆っている。シート１８もシートレール２６上に支持される。
【００２５】
ピボットプレート２８には、リヤスイングアーム３６の前端がピボット２７により上下方向へ揺動自在に軸止され、リヤスイングアーム３６の後端に後輪１４が支持されている。また、リヤスイングアーム３６の後端部とシートレール２６の前後方向中間部との間にリヤサスペンションを構成するリヤクッション３８が配置され、上下方向へ揺動する後輪１４を緩衝するようになっている。リヤクッション３８の上端支持部は燃料タンク２０の後側下部近傍である。
【００２６】
図示の車両はサイドスタンド２９を立てて駐車した状態であり、前輪１２と後輪１４が共に地面１９へ接地している両輪接地状態である。この両輪接地駐車状態において、燃料タンク２０の底部は、前傾した傾斜状態となるように配置されている。
なお、駐車の形式としては、サイドスタンド２９に代えてメインスタンド２９ａを立てることにより、後輪１４を地面１９から浮かせ、前輪１２のみを接地させて、車両を地面１９に対して直立させるものもある。
【００２７】
車体はフロントカバー４０とリヤカバー４２で覆われている。リヤカバー４２はシート１８の下方を、その前後方向中間部から後端部までを覆っている。
フロントカバー４０はヘッドパイプ２４の側方からエンジン１６の上方を通り、シート１８の前部下方で燃料タンク２０の前部側方と側面視で重なる位置まで設けられている。
【００２８】
フロントカバー４０の前端部にはヘッドライト４４が設けられ、一部を覆うヘッドライトカウル４６で覆われている。このヘッドライトカウル４６後方かつヘッドライト４４の上方に、メーター４８が配置されている。
【００２９】
メーター４８はスピード等の各種情報が表示されるとともに、燃料タンク２０の油量が所定量以下となったときに点灯するエンプティランプ５０が設けられている。エンプティランプ５０は本願発明の残量警告装置における警告表示部をなし、メーター４８に限らず、例えばハンドルバー３０上等、乗員の視認しやすい適所に設けることができる。また、点灯するランプではなく、給油を促す文字や記号などによる警告表示であってもよい。
【００３０】
エンジン１６は、シリンダ５２が前傾して略水平に寝かされた配置をなし、クランクケース５４の前側上部がブラケット２２ａを介してメインフレーム２２へ支持されている。クランクケース５４の後端部上下は、ピボットプレート２８に対してボルト２８ａ及び２８ｂにて取付けられている。クランクケース５４に設けられた出力スプロケット５５と後輪１４に設けられた従動スプロケット１４ａとの間にチェーン５６が巻き掛けられ、後輪１４がエンジン１６によりチェーン駆動される。
【００３１】
シリンダ５２におけるシリンダヘッド５３の上面には吸気ポート（図示省略）が設けられ、ここにスロットルバルブ５７ａが内蔵されたスロットルボデイ５７が接続している。シリンダヘッド５３の下面からは排気管５９が下方へ出てから後方へ曲がっている。
スロットルボデイ５７には、燃料噴射装置である電子燃料噴射弁５８が設けられ、燃料タンク２０から燃料ポンプ（後述）で圧送される燃料の最適量を電子的に計量して吸気ポートへ供給している。さらにスロットルボデイ５７には後方のエアクリーナ２１から清浄空気が供給されている。
【００３２】
図２はシート１８を取り去った状態でシート１８の下方部分を示す上面視図である。燃料タンク２０は、ボルト６０、ボルト６２によりシートレール２６へ取付けられる。燃料タンク２０の周囲にはフランジ７４が形成され、その前端部が左右のシートレール２６間に架け渡されたクロスプレート２６ａへ重ねて左右のボルト６０で締結され、後端部が左右のシートレール２６の後部上に設けられたブラケット２６ｂへ重ねられ、左右のボルト６２で締結されている。
【００３３】
燃料タンク２０の上面２０ａには、前部に後述する燃料ポンプを取付けるためのポンプ取付座６４が設けられ、その後方には給油口６５が設けられ、タンクキャップ６６で覆われている。給油口６５は上面２０ａの後部に形成された上面視略Ｕ字状の凹部２０ｂの内側に設けられ、その中心は、車体中心ＣＬよりも若干車体右側へ偏って配置されている。
【００３４】
取付座６４には燃料ポンプの基部（後述）が取付けられている。燃料ポンプの基部からは燃料吐出パイプ８３が上方へ突出し、取付座６４から外部へ出て燃料パイプ６３へ接続している。
燃料パイプ６３は燃料タンク２０の上面２０ａ上を前側左角部へ向かって延びてから下方へ曲がり、燃料タンク２０の前面に沿って下方へ延出し、さらにシートレール２６に沿って前方へ延びてスロットルボデイ５７へ接続されている。この燃料パイプ６３を通して燃料タンク２０内の燃料が燃料ポンプからスロットルボデイ５７へ圧送される。
【００３５】
燃料タンク２０の前方には、エアクリーナ２１が配置されている。エアクリーナ２１は燃料タンク２０の前方に位置するダクト２１ａから外気を吸入し、内部の燃料フィルタで浄化する。清浄空気は、エアクリーナ２１の前部から前方へ延出する吸気チューブ２１ｂ（図１参照）からスロットルボデイ５７へ供給される。
【００３６】
以下、燃料タンク２０を詳細に説明する。
図３は、燃料タンク２０を示し、Ａは燃料タンク２０全体の左側面図、Ｂは給油口部分の拡大断面図、Ｃは給油口部分の平面視図である。なおＢは、給油口部分について、その中心を通り前後方向に切った断面である。
【００３７】
図のＡに示すように、燃料タンク２０は中央部を上方へ凸に形成されて下方へ開放された凹部が形成された上半体７０と、中央部を下方へ凸に形成されて上方へ開放された凹部が形成された下半体７２とを上下合わせにしてフランジ７４で上下一体化することにより密閉中空容器状にし、中空部を油室としたものである。下半体７２の下方へ膨出する部分のうち、下部は燃料タンクの底部７６をなし、周囲は周壁７８をなす。周壁７８のうち前部を前壁７８ｆ、後部を後壁７８ｒとする。
【００３８】
給油口６５は、燃料タンク２０の上面後部に設けられ、給油口６５から燃料タンク２０内へ給油筒６７が突出している。
図３のＢに示すように、給油口６５は、凹部２０ｂの一部を輪状の隆起部２０ｃとし、その内側を開口させることにより形成されている。給油口６５の周縁部６５ａは、隆起部２０ｃの頂部よりも一段低い段差状をなし、その先端側は下方へ折れ曲がって、タンクキャップ６６の小径部６６ａを嵌合するガイド筒部６５ｂになっている。
【００３９】
周縁部６５ａとガイド筒部６５ｂの一部には、切り欠き溝６５ｃが形成され、タンクキャップ６６の小径部６６ａに形成された突起６６ｂを通過可能になっている。突起６６ｂを切り欠き溝６５ｃに通し、ガイド筒部６５ｂの下方へ出してからタンクキャップ６６を回転させると、タンクキャップ６６を給油口６５へ取付けることができる。切り欠き溝６５ｃは対向位置に一対で設けられている。
【００４０】
給油筒６７は下方へ向かってすぼまるテーパー状をなし、その上端に形成された外フランジ６７ａを凹部２０ｂの下面へ溶接して一体化されている。
給油筒６７は上下両端が開口し、このうち上側開口縁部６７ｂは周縁部６５ａより径方向外方にあり、下側開口縁部６７ｃは周縁部６５ａの下方に位置している。
給油口６５から燃料タンク２０内を覗き込んだときの視野は、給油筒６７の下側開口縁部６７ｃにより規制される。
【００４１】
図３のＣにおいて、一対の切り欠き溝６５ｃを車両の前後方向に向けて配置したとき、下側開口縁部６７ｃはガイド筒部６５ｂの内側に位置し、一部が切り欠き溝６５ｃから見えている。
ここで、給油口６５から燃料タンク２０内を覗き込んだときにおける視野を説明するための点として、上側前端Ｐ１及び上側後端Ｐ２並びに下側前端Ｑ１及び下側後端Ｑ２を特定する。上側前端Ｐ１及び上側後端Ｐ２は給油口６５の内径上における前後対称位置にある点である。下側前端Ｑ１及び下側後端Ｑ２は、切り欠き溝６５ｃ内における下側開口縁部６７ｃ上の点であり、点Ｐ１とＰ２を結ぶ直線（図示省略）の延長線との交点である。
【００４２】
図３のＢに示すように、上側前端Ｐ１及び上側後端Ｐ２と下側前端Ｑ１及び下側後端Ｑ２は、上下に離れている。
対向する上側前端Ｐ１と下側後端Ｑ２を結んだ直線をＬ１、同じく対向する上側後端Ｐ２と下側前端Ｑ１を結んだ直線をＬ２とすれば、直線をＬ１とＬ２は点Ｏで交差する。この交点Ｏは、給油口６５及び給油筒６７の中心線ＣＴ上に位置する。
【００４３】
図４は、両輪接地で車両を地面に対して直立した状態における燃料タンク２０の左側面を破断して示す図である。燃料タンク２０は車両の両輪接地状態にて前方へ傾斜しており、下半体７２に形成された底部７６は、水平に対してθなる所定の傾斜角をなしている。なお、図中において底部７６の傾斜を示す線は、前壁７８ｆ及び後壁７８ｒの各下端部がアール形状で底部７６へ連続しているので、この各アールのアール止まりを結んだ線である。
底部７６には、ポンプ取付座６４の下方となる前側底部７６ａと、給油口６５の下方となる後側底部７６ｂが設けられている。
【００４４】
後側底部７６ｂのうち、給油筒６７から視認できる部分（中心線ＣＴとの交差点を含むその近傍部分）は、後側底部７６ｂの一部を上方へ凸に膨出させて上げ底状にした底面突出部７７をなす。底面突出部７７は本願発明における傾斜部の一例であり、後側底部７６ｂにおける下方へ開放された凹部により形成され、給油筒６７の下方となる中心線ＣＴとの交差点を頂部として前後方向及び左右方向へなだらかに変化する曲面をなしており、水平方向において、後方が高く前方が低くなるように高低差が設けられている。
【００４５】
底面突出部７７は、その大部分が直線Ｌ１及びＬ２に囲まれた視認可能範囲Ｚ内に位置する。給油口６５の中心線ＣＴは、後側底部７６ｂと直交するように前傾している。
なお、視認可能範囲Ｚをより正確に表現すれば、上記直線Ｌ１（Ｌ２）を中心線ＣＴを中心に回転して形成される円錐形の表面と底部７６及び後壁７８ｒとの交点を視認可能な限界点とし、この限界点より給油口６５の中心軸ＣＴ側となる範囲とする。
【００４６】
底面突出部７７上には、目視用油面表示９０が設けられている。この目視用油面表示９０は、視認可能範囲Ｚ内にて、底面突出部７７上に上方へ突出して設けられた刻印からなり、後端部側が高く前端側が低くなるよう、底面突出部７７の傾斜面上に高所から低所へかけて連続して形成され、側面視で上方へ凸に湾曲する緩い弧状をなして傾斜している。
また、上面視では、前後方向へ長い直線状に形成され（図７のＡ参照）、給油口６５から覗き込んだとき全体を視認可能である。
【００４７】
燃料タンク２０の前部に燃料ポンプ８０が内蔵されている。この燃料ポンプ８０は前側底部７６ａの上方かつ底面突出部７７の前方となる油室前部７５に、上下方向へ長くやや前傾して配置され、上端の基部８０ａを取付座６４へ取り付けることにより、下端部は吊り下げ状に支持されている。燃料ポンプ８０の下端部は、底部７６の前側底部７６ａの近傍へ達し、ここに燃料フィルタ８２が設けられている。燃料フィルタ８２は燃料ポンプ８０が吸引する燃料中の異物を除去するようになっている。
【００４８】
燃料ポンプ８０と給油口６５が車体前後方向へずらして配置されている。
車両搭載状態における燃料タンク２０の前側底部７６ａは、側面視（図示状態）にて、後側底部７６ｂ並びに底面突出部７７より低くなっているとともに、車両の両輪接地状態において、燃料の深さは、燃料タンク２０の油室のうち油室前部７５の底部が最も深くなる。
【００４９】
燃料ポンプ８０は燃料タンク２０内の最も低い位置から燃料フィルタ８２により燃料を濾過して吸引し、燃料吐出パイプ８３が取付座６４の外へ出て燃料パイプ６３（図２）へ接続されている。
このため、油室前部７５の前側底部７６ａ近傍に燃料フィルタ８２を配置することにより、燃料ポンプ８０が燃料タンク２０内の燃料を吸引残量が可及的に少なくなるよう、ほぼ最後まで効率よく吸引することができる。
【００５０】
燃料ポンプ８０には、燃料ポンプ８０で発生した燃料の気化ガスを液体燃料中へ戻すためのベーパーリターン機構８１が設けられている。ベーパーリターン機構８１は燃料ポンプ８０の側面に沿って上下方向に設けられたリターンパイプ８４を備え、このリターンパイプ８４の上端近傍に気化ガスの戻し用孔８５が設けられ、燃料ポンプ８０内で発生したベーパー（気化燃料）をリターンパイプ８４から戻し用孔８５を通して燃料タンク２０内上部へ排出することで気化燃料リターン機構を構成している。
【００５１】
燃料タンク２０内の油面がリターンパイプ８４の戻し用孔８５よりも高くなると、燃料が戻し用孔８５から入ってリターンパイプ８４を逆流することになるので、戻し用孔８５の下端部位置より若干低い位置が油面の上限となる。この位置を通る水平線を給油上限線Ｕｐ（車両直立時）とする。油面の給油上限線Ｕｐは給油筒６７の下端よりも下方に位置している。
なお、ベーパーリターン機構８１を燃料が逆流し、その燃料中に異物があれば、この異物が燃料ポンプを経由して燃料噴射装置に送られ、燃料噴射装置を詰まらせることがある。
【００５２】
また、燃料タンク２０内の燃料が所定残量より少なくなって、エンプティランプ５０の点灯により燃料切れを予告し給油を促す警告を発することが必要となる状態における油面の高さを示す水平線を給油下限線Ｌｗ（車両直立時）とする。油面が給油下限線Ｌｗまで下がると、油量計測器８６はこれを検出してエンプティランプ５０（図１）を点灯させ、油量が少なくなったことを乗員へ警告し、給油を促す。目視用油面表示９０は、給油上限線Ｕｐの下方かつ給油下限線Ｌｗの上方に配置されている。
【００５３】
サイドスタンド２９（図１）を立てて車両を傾けて駐車する傾斜駐車時においては、燃料タンク２０が左右いずれか側（本例では左側）へ傾くことにより、リターンパイプ８４も傾き、戻し用孔８５の位置が低くなるため、油面の上限線も低くなり、給油上限線Ｕｐより下がり、マーク上限線ＵｐＭｋとなる。また、下限時における油面は、燃料タンク２０の傾斜により上昇するので（図６の丸囲み部Ｂ参照）、マーク下限線ＬｗＭｋとなる。なお、給油上限線ＵｐとＵｐＭｋとの間は、所定のバッファ領域であり、状況によっては、燃料が戻し用孔８５へ入って逆流する可能性がある。また、給油下限線Ｌｗとマーク下限線ＬｗＭｋとの間は、所定のバッファ領域であり、油面が給油下限線Ｌｗ以下になればエンプティランプ５０が点灯し、燃料切れを警告する。油面が給油下限線Ｌｗより高くなればエンプティランプ５０が点灯しない。
【００５４】
目視用油面表示９０は、上端部（後端部）である上限指示部９２に、傾斜駐車時における油面の上限を示すマーク上限線ＵｐＭｋが重なり、下端部（前端部）である下限指示部９４に、傾斜駐車時における油面の下限を示すマーク下限線ＬｗＭｋが重なるように設定されている。すなわち目視用油面表示９０は、マーク上限線ＵｐＭｋとマーク下限線ＬｗＭｋとの間に形成される。
【００５５】
目視用油面表示９０は、給油上限線Ｕｐより下方に配置されることにより、戻し用孔８５より下方に設けられる。したがって、給油時に油面を見て、油面が上限指示部９２に到達したとき給油を停止することにより、燃料がリターンパイプ８４の戻し用孔８５から逆流することを阻止できる。その結果、給油過剰により、燃料を逆流させて燃料中の異物が燃料ポンプから燃料噴射装置へ送られないようにして、ベーパーリターン機構８１を経由する電子燃料噴射弁５８の目詰りを防止できる。
【００５６】
燃料ポンプ８０の中間部には、油量計測器８６が設けられている。この油量計測器８６は、本願発明における残量警告装置の一部をなし、燃料ポンプ８０の上下方向中間部から後方へ突出する計測本体部８６ａと、この計測本体部８６ａへ一端を揺動自在に取付けられたアーム８７と、このアーム８７の他端に取付けられているフロート８８を備える。
【００５７】
フロート８８は油面の上下動に追随して給油上限線Ｕｐと給油下限線Ｌｗの間を揺動し、油量計測器８６はフロート８８に連動するアーム８７の回動により油面を検出する。但し、本例における残量警告装置は油量表示としてエンプティランプ５０のみを備え、変化する油量をリアルタイムで表示する電子的な油量計を備えていないので、油量計測器８６は実質的に油面の下限のみを検出することになる。また、エンプティランプ５０が点灯するときのフロート８８の位置であるフロート下限位置を、給油下限線Ｌｗより若干低くして、油面が給油下限線Ｌｗになっても直ちにエンプティランプ５０が点灯しないように設定することもできる。
【００５８】
なお、油量計測器８６は前側底部７６ａの上方に配置され、前側底部７６ａは後側底部７６ｂに設けられている底面突出部７７よりも低い位置にある。したがって、油量計測器８６を燃料タンク２０の比較的深い位置に配置して、アーム８７を短くすることができるので、油量計測器８６を小型化することができる。
【００５９】
そのうえ、燃料タンク２０の上面において給油口６５を燃料ポンプ８０から前後方向へずらし、給油口６５と燃料ポンプ８０を側面視で重複しない位置に配置し、目視用油面表示９０を、燃料タンク２０の後側底部７６ｂにおいて相対的に上方となる位置に設けることで、給油口６５から覗き込んで目視用油面表示９０により視認する油面を、エンプティランプ５０の点灯する給油下限線Ｌｗよりも高い位置に配置することができる。このため、前側底部７６ａにおける油量計測器８６と後側底部７６ｂにおける目視用油面表示９０による計測とで測定エリアを分けやすくなる。
【００６０】
図５は、図４における底面突出部７７を斜め上方から示す図である。本例における目視用油面表示９０は、底面突出部７７の曲面に沿って前後方向へ延びる平面視直線状をなす。
目視用油面表示９０の後端部は上限指示部９２であり、前端部は下限指示部９４をなす。目視用油面表示９０は、底面突出部７７の表面上に上方へ突出する凸条に形成されている。
【００６１】
この例では、底面突出部７７を下半体７２の成形時に上方へ打ち出したビード状に刻設されている。ただし、この形成方法は種々可能であり、塗装、シール等の帯状（テープ状）部材の接着、溶接ビードなどがある。また、長さ方向へ等間隔に目盛線を設けて目盛状に形成してもよい。
【００６２】
なお、目視用油面表示９０を、塗装、シール等の接着、溶接ビードの形成及び目盛形成など、下半体７２の成形後に別加工で設ける場合には、上半体７０を重ねる前の上方に開放されている下半体７２の底部７６に対して、上方から加工することにより、容易に設けることができる。
【００６３】
図６は、燃料タンク２０の横断面を示し、図６のＡは車両の直立かつ両輪接地状態にて給油口６５の後方を断面にした図１の６−６線に沿う断面図である。なお、燃料ポンプは省略してある。この図に示すように、底面突出部７７は車幅方向において中央部７７ａが最も高くなるように上方へ湾曲した曲面をなし、その左右は下方へ湾曲した側方油室７９になっている。側方油室７９は油室前部７５と連通しており、燃料タンク２０の水平時（図３のＡの状態）にて、側方油室７９の底部は前側底部７６ａとほぼ同じ高さになっている。
【００６４】
底面突出部７７は車幅方向において中央部７７ａが最も高くなるように上方へ湾曲した曲面をなし、中央部７７ａは車体中心線ＣＬ上に位置する。給油筒６７の中心線ＣＴは、車体中心線ＣＬよりも若干量ｄだけ左右いずれか側（本例では右側）へずれており、この給油筒６７の中心線ＣＴ上に目視用油面表示９０が形成されている。
目視用油面表示９０は、中央部７７ａに対して、サイドスタンドを立てて駐車する車両の傾斜状態で高くなる側（本例では右側）に設けられている。
【００６５】
目視用油面表示９０は、その拡大断面を図中の丸囲み部Ｂに示すように、底面突出部７７を下方から打刻することにより刻設され、底面突出部７７の上面側へ突出する凸条部をなし、底面突出部７７の下面においては凹溝状をなし、図示の断面にて給油筒６７の中心線ＣＴに沿っている。
【００６６】
図中の丸囲み部Ｃは、サイドスタンドを立てて傾斜駐車したときの燃料タンク２０を示す。
傾斜駐車時には、図６のＡに示す直立状態の燃料タンク２０が傾くため、燃料は左右いずれか側へ移動し、本例では中心線ＣＬが直立時の垂直位置から左側へ傾き、左側の側方油室７９における油量が増加し、右側の側方油室７９における油量が減少する。このとき左右方向にて、中央部７７ａは目視用油面表示９０よりも低い位置になり、かつ目視用油面表示９０が最も高い位置になり、油量の確認が容易な位置になる。
【００６７】
図７は、油量の変化に対する給油口６５から覗いたときにおける油面の見え方が変化する状態を示す。なお、以下は、サイドスタンド２９を立てて駐車した状態にあり、車体が車幅方向一方側（左側）へ傾いた状態を示す。
図７のＡは、燃料タンク内に燃料が無い空の状態で、中心線ＣＴに沿って給油口６５を覗き込まずに上方から見たときにおける目視用油面表示９０を示す。目視用油面表示９０は給油口６５を越えて前後方向へ長く延びており、その中間部が給油口６５から見えている。目視用油面表示９０の上限指示部９２及び下限指示部９４はいずれも凹部２０ｂの下方に隠れている。但し、中心線ＣＴに沿って給油口６５内を覗けば、目視用油面表示９０は視認可能範囲Ｚ内に配置されているため、その全体が見える。
【００６８】
図７のＢは、油面がマーク上限線ＵｐＭｋにある状態において、直線Ｌ１（図３）に沿って給油口６５から燃料タンク２０の内部を覗いたときの視野Ｖ１を示す。なお、以下の説明において、直線Ｌ２（図３）に沿って給油口６５から燃料タンク２０の内部を覗いたときの視野をＶ２、中心線ＣＴに沿って覗いたときの視野をＶ３とする。
【００６９】
図７のＢにおいて、目視用油面表示９０は上限指示部９２側の後半部が視認範囲となり、油面の先端２０ｄは、円弧状をなして目視用油面表示９０の上限指示部９２に達している。したがって、目視にて油面の先端２０ｄが上限にあることを直ちに目視確認できる。
しかも、目視用油面表示９０は上方突出する凸条として形成されているので、油面の先端２０ｄは、目視用油面表示９０を横切るとき一部が湾曲変形する。したがって、この変形と、目視用油面表示９０の立体形状による陰影により、油面の先端２０ｄを容易に視認できるようになる。
【００７０】
なお、目視用油面表示９０のうち上限指示部９２より前側となる部分は、視認範囲であっても油面の下になるので、明瞭に視認できない。
また、仮に油面の先端２０ｄが上限を超えていれば、仮想線で示すように、油面の先端２０ｄが上限指示部９２を越え、上限指示部９２が油面の下に隠れるため、給油過剰の状態を確認できる。
【００７１】
図７のＣは、油面がマーク下限線ＬｗＭｋにある状態において、直線Ｌ２（図３）に沿って給油口６５から燃料タンク２０の内部を覗いたときの視野Ｖ２を示す。このとき、目視用油面表示９０は下限指示部９４側の前半部が視認範囲となり、かつ油面上に露出しており、油面の先端２０ｄは、円弧状をなして目視用油面表示９０の下限指示部９４に達している。したがって、目視にて油面の先端２０ｄが下限にあることを直ちに目視確認できる。
【００７２】
また、仮に油面がマーク下限線ＬｗＭｋよりも下がっていれば、油面の先端２０ｄは仮想線で示すように、下限指示部９４より下にあるので、燃料不足を直ちに確認できる。
なお、油面がマーク下限線ＬｗＭｋとマーク上限線ＵｐＭｋの中間にあれば、油面の先端２０ｄが下限指示部９４を上限指示部９２側へ越えた中間部にあるので、これも直ちに確認できる。
【００７３】
次に、本実施例の作用を説明する。この車両は、エンプティランプ５０のみが設けられ、
燃料が所定の下限以下となって残量不足となったときのみ点灯して乗員に警告するが、油量が所定の下限より多ければ点灯せず、実際の油量が下限と上限の間でどの程度であるかは判らない。そこで、油量を確認したいときは、シート１８を開いてタンクキャップ６６を外し、給油口６５から中を覗く。すると、視認可能範囲Ｚ内に配置された目視用油面表示９０と油面が見える。
【００７４】
このとき、油面の先端２０ｄが上限であれば図７のＢのように見え、下限であれば図７のＣのように見える。また、中間であれば、油面の先端２０ｄが下限指示部９４と上限指示部９２の間に見える。したがって、油量について、目視用油面表示９０を目安にして、油面が上限、下限、中間のいずれかの状態にあるかを目視にて迅速に確認できる。
【００７５】
このため、リアルタイムの油量を正確に表示する電子的油量計ではなく、簡単なエンプティランプ５０のみが設けられているような車両においても、おおよその残量を簡単に把握でき、しかも目視用油面表示９０に目盛を設ければ、この目盛によりかなり正確に油量を判断できるので、このような車両において好適な、簡素かつ安価な非電子的油量計になる。
しかも、この目視用油面表示９０は、給油口６５の下方に位置する燃料タンク２０の後側底部７６ｂにおける底面突出部７７に設けるだけであるから、特殊な給油口構造を有するものに限定されず、広範な燃料タンクに適用できる。
【００７６】
また、燃料フィルタ８２の目詰まり有無を簡易に判断することができる。すなわち、エンジンがかからない等の燃料切れを疑わせるエンジンの不調が生じたとき、燃料フィルタ８２の目詰まりが原因の一つに想定される。しかし、燃料フィルタ８２の交換は、燃料ポンプ８０を燃料タンク２０から取り出さなければならず容易でないから、まず、燃料フィルタ８２の目詰まりが原因であるか否かを簡易かつ迅速に判断できるようにすることが求められる。
そこで、上記エンジンの不調が生じたとき、まず、エンプティランプ５０の点灯有無を確認し、点灯していれば燃料切れの可能性が疑われる。
【００７７】
一方、エンプティランプ５０が点灯していなければ、給油口６５から燃料タンク２０の内部を覗き、油面の位置を確認する。
このとき、油面が上限指示部９２と下限指示部９４の間に位置すれば、図４に示すように、油面は、下限指示部９４を通るマーク下限線ＬｗＭｋと、上限指示部９２を通るマーク上限線ＵｐＭｋとの間にあり、燃料切れを生じない適切な油量であることを直ちに目視確認できるから、燃料フィルタ８２の目詰まりと判断する。したがって、燃料ポンプ８０を燃料タンク２０から取り出さずに燃料フィルタ８２が目詰まりであることを簡易かつ迅速に判断できるようになる。そのうえ、比較的高価な電子的な油量計を設けなくても燃料フィルタ８２の目詰まりを判断できる。燃料フィルタ８２の目詰まりと判断された場合には、その後、燃料ポンプ８０を取り出し、確認後、燃料フィルタ８２を交換するなどして修理を行う。
【００７８】
但し、油面が上限指示部９２より上方にある場合は、燃料フィルタ８２の目詰まりの判断は困難である。すなわち、この場合は、図４において、油面が上限指示部９２を通るマーク上限線ＵｐＭｋより上にあるので、燃料が戻し用孔８５からリターンパイプ８４内を燃料ポンプ８０へ逆流する可能性があり、実際には燃料フィルタ８２が目詰まりしているにもかかわらず、エンジンの上記不調が現れず、燃料フィルタ８２が目詰まりを正確に判断できない場合があるからである。
したがって、目視用油面表示９０により簡易に燃料フィルタ８２の目詰まりを判断できる条件は、上記エンジンの不調があり、かつ油面が上限指示部９２と下限指示部９４の間に位置することである。
【００７９】
また、図６のＡに示すように、底面突出部７７の一部を上方へ突出させて目視用油面表示９０を設けたので、シールなどと比べ消えづらい目視用油面表示を構成することができるとともに、上方に突出しているため、陰影により油面の視認が容易になる。
また、目視用油面表示を上方への凸部でなく逆に下方へ凸の凹部にした場合と比べれば、凹部の場合は上面が溝状等にくぼむので、燃料がこのくぼみに溜まることがある。しかし、上方へ凸の場合は燃料が溜まらなくなる。
【００８０】
次に、図８〜１０に基づいて目視用油面表示に関する別実施例を説明する。このうち、図８及び図９は、目視用油面表示を燃料タンクの後側底部７６ｂにおける底面突出部７７上へ直接設けた例であり、図１０は目視用油面表示として機能する別体の部材を燃料タンクの後側底部７６ｂへ設けた例である。
【００８１】
図８のＡは、燃料が空の状態において、中心線ＣＴに沿って給油口６５内を覗いたときの視野Ｖ３を示す。この例における目視用油面表示９０は、図７のＡに示す目視用油面表示９０に対して目盛９６を施したものである。
目盛９６は目視用油面表示９０の長さ方向へ等間隔で複数形成された目盛線であり、両端のものが、上限指示部９２及び下限指示部９４になっている。目盛９６は油量表示マークの一例であり、必要に応じて、油量を示す数字等の他の表示、例えば、Ｈ・Ｍ・Ｌ、もしくはＦ・Ｅ等の適宜な記号や文字にしてもよい。  
【００８２】
このようにすると、油面の先端２０ｄ近傍の目盛９６を見ることにより、直ちにおおよその油量を目視確認できる。しかも、単に、上限又は下限に限らず、その中間における油量をある程度正確に把握することができる。
なお、目盛９６は底面突出部７７上に直接形成してもよい。
【００８３】
図８のＢは、直線状の目視用油面表示に代えて、前後方向へ等間隔で一直線上に並んだ多数の点状小突起よりなる目視用油面表示９０Ａとしたものである。この複数の点状をなす目視用油面表示９０Ａのうち、一直線上両端のものを上限指示部９２Ａと下限指示部９４Ａとする。このようにすると、等間隔に並ぶ点状小突起が目盛代わりになる。
【００８４】
図９のＡは、三角形状の打ち出し形状よりなる小突起を目視用油面表示９０Ｂとした例である。視野Ｖ１において、目視用油面表示９０Ｂがほぼ中央に位置するように設定する。また、頂点の一つを前方側へ向けて配置する。
なお、中心線ＣＴに沿って給油口６５内を見たとき（視野Ｖ３相当時）、仮想線で示すように、目視用油面表示９０Ｂを中心より後方の適正位置に設けることにより、視野Ｖ１において中央となるように配置できる。
【００８５】
このようにすると、油面の先端２０ｄが目視用油面表示９０Ｂへ達することにより上限であることを確認でき、それより下方であれば、適正な油量であることが把握できる。このとき、目視用油面表示９０Ｂは凸部になっているので、油面の先端２０ｄとの間に段差ができることにより、油面の先端２０ｄの視認が容易になる。また、頂点の一つを前方側へ向けてあるので、頂点の先端から油面の先端２０ｄと接触することになり、油面の先端２０ｄの位置を正確に視認できる。
【００８６】
また、比較的小さな目視用油面表示９０Ｂを１個設けるだけなので、簡単に設けることができる。なお、下限側は、フロート８８が給油下限位置へ移動することにより、油量計測器８６がこれを検知し、エンプティランプ５０を点灯させて知らせるので、下限側の目視用油面表示は設けずに省略することができる。但し、次に述べるように設けることもできる。
【００８７】
図９のＢは、上記三角形状の目視用油面表示９０Ｂを、上限指示部９２Ｂと下限指示部９４Ｂとして一対にして設けた例であり、図は視野Ｖ３を示している。なお、上限指示部は上記図９のＡに示す目視用油面表示９０Ｂと同じである。下限支持部９４Ｂは、上限指示部９２Ｂを逆向きにして、一つの頂点を後方へ向けたものであり、視野Ｖ２において、下限時における油面の先端２０ｄ及びこの油面の先端２０ｄの先端に上記頂点が接する下限支持部９４Ｂをほぼ中央に来るように設定する。
【００８８】
このようにすると、油面の先端２０ｄが上限、下限またはこれらの中間のいずれにあるかを容易に把握できる。また、頂点の一つを後方側へ向けると、下限時における油面の先端２０ｄの位置も正確に把握し易くなる。
なお、上限指示部９２Ｂと下限指示部９４Ｂの間に、１又は複数の目視用油面表示９０Ｂを等間隔で一直線状に設けることもできる。
【００８９】
図９のＣは、三角形状に代えて弧状をなす目視用油面表示９０Ｃとした例である。この
例は、視野Ｖ１において、ほぼ中央に配置することにより、上限確認用になっている。この例でも、仮想線のように、中心線ＣＴから所定位置後方へずらして配置することにより、視野Ｖ１の中央となるように配置できる。
このように、目視用油面表示９０Ｃを弧状にすると、油面の先端２０ｄが弧状になることに対応し、目視用油面表示９０Ｃと油面の先端２０ｄが長く接触するので、油面の先端２０ｄの把握が容易になる。
なお、目視用油面表示９０Ｃを一対にして上下限確認を可能にしたり、前後方向へ等間隔で複数設けたりすることができることは前実施例（図９のＢ）と同様である。
【００９０】
図１０のＡは、目盛付の棒状部材９７自体を目視用油面表示９０Ｄとしたものであり、棒状部材９７の一端を給油口６５の下方となる底部７６の内面上へ溶接等で固定し、他端を角αなる傾斜角で視認可能範囲Ｚ内へ突出させてある。角αは任意に設定できる。底部７６のうち棒状部材９７を固定する部分は、平坦でも傾斜していても構わない。
棒状部材９７は、本願発明における油面表示部材の一例であり、燃料タンク２０の下半体７２と別体に設けられた部材から構成されている。
【００９１】
この棒状部材９７は、下半体７２と別体に形成されるが、燃料タンク２０を上半体７０と下半体７２の上下分割形式とすれば、上半体７０を重ねる前の下半体７２に対して上方から、溶接等の固定作業を容易におこなうことができる。
目視用油面表示９０Ｄは、棒状部材９７の傾斜部９７ａと、その上に長さ方向等間隔で形成した目盛９６からなる。目盛９６のうち上端のものは、傾斜駐車時のマーク上限線ＵｐＭｋと一致する上限指示部９２Ｄをなし、下端のものは傾斜駐車時のマーク下限線ＬｗＭｋと一致する下限指示部９４Ｄをなしている。
【００９２】
このようにすると、底面突出部７７を備えない燃料タンクに対しても、傾斜部を設けて目視用油面表示９０Ｄを設けることができる。
しかも、目盛９６により、油量の把握が容易になるとともに、棒状部材９７の傾斜部９７ａが傾斜しているだけ、先端側が上方へ突出していることになるので、上限指示部９２Ｄと下限指示部９４Ｄ間の幅が狭くなる。したがって、前後方向の比較的狭い範囲で油面の先端２０ｄの確認が可能になる。
【００９３】
なお、目盛９６に代えて適当な油量表示マークを形成できることは、前述した図８のＡの場合と同様である。また、目盛等の油量表示マークを設けなくても、棒状部材９７の傾斜部９７ａ自体が、油面に対して傾斜するので、目視用油面表示として機能できる。
【００９４】
図１０のＢは、棒状部材９７に代わり略コ字状部材９８を用い、これに目視用油面表示９０Ｅを設けた例である。略コ字状部材９８は、本願発明における燃料タンクの底部７６と別体に設けられる油面表示部材の他の一例である。この略コ字状部材９８は、前記棒状部材９７と異なり、板状部材の長さ方向両端側を折り曲げることにより、一対の脚部９８ａ及び９８ｃとこれらをつなぐ中間部である傾斜部９８ｂを連続して形成したものであり、一対の脚部９８ａ及び９８ｃを前後に向けて配置し、各下端を給油口６５の下方となる底部７６の内面上へ溶接等で取付けてある。
【００９５】
また、前側の脚部９８ａを短くし、後側の脚部９８ｃを長くすることにより、傾斜部９８ｂを斜面としたものである。傾斜部９８ｂには、必要により、適当な目盛等の油量表示マークが設けられる。本例では、油量表示マークとして半球状の突起からなる上限指示部９２Ｅ及び下限指示部９４Ｅを設けてある。
【００９６】
このようにしても、油面の先端２０ｄの確認が容易にできる。しかも、略コ字状部材９８の長さ方向両端を確実に固定して、油面の先端２０ｄ検出の精度を高めることができる。
この略コ字状部材９８も、棒状部材９７と同様に、上下に分割された下半体７２に対して簡単に取り付けることができる。
【符号の説明】
【００９７】
２０：燃料タンク、２０ｄ：油面の先端、６５：給油口、７６：底部、７６ａ：前側底部、７６ｂ：後側底部、７７：底面突出部（傾斜部）、８０：燃料ポンプ、８１：ベーパーリターン機構、８２：燃料フィルタ、８５：戻し用孔、８６：油量計測器、９０：目視用油面表示、９２：上限指示部、９４：下限指示部、９６：目盛、９７：棒状部材（油面表示部材）、９８：略コ字状部材（油面表示部材）
【図１】
2016124412.tif 000003
【図２】
2016124412.tif 000004
【図３】
2016124412.tif 000005
【図４】
2016124412.tif 000006
【図５】
2016124412.tif 000007
【図６】
2016124412.tif 000008
【図７】
2016124412.tif 000009
【図８】
2016124412.tif 000010
【図９】
2016124412.tif 000011
【図１０】
2016124412.tif 000012
【手続補正書】
【提出日】平成27年1月9日(2015.1.9)
【手続補正１】
【補正対象書類名】図面
【補正対象項目名】図５
【補正方法】変更
【補正の内容】
【図５】
2016124412.tif 000013